(57)【要約】  本発明は、ウェブ（１４．１）を形成するように引張領域（１５．１）を介して局所的にシャーリングを施された編織布地構造体（１１．１）からなる少なくとも１つの温度制御要素（１０．１）を有するスポーツウェアに関する。前記ウェブは、着用者の皮膚（２００）に前記布地構造体（１１．１）の内部で接触するように設計され、内側空気チャネル（１３．１）が、前記ウェブ間に形成される。外側空気チャネル（１８．１）を形成する少なくとも１つの溝が、シャーリングを施された前記シート構造体上（１１．１）上で、前記ウェブ（１４．１）のそれぞれの後面に形成される。前記温度制御領域（１０．１）は、横方向分離領域（１６．１）によって互いに離間した短いウェブ（１４．１）に含まれる複数の個別の温度制御要素（１２．１）を設けられる。隣接する内側空気チャネル（１３．１）は、前記分離領域（１６．１）によって互いに連結され、前記分離領域（１６．１）は、前記温度制御要素（１２．１）の間で横方向に互いにオフセットされ、これにより、前記温度制御要素（１２．１）は、鉛直方向身体軸（Ｘ）の長さに対して少なくとも部分的に重なるように配置される。
2018538451.tif 000002
【特許請求の範囲】
【請求項１】
引張領域（１５、１、…、１５．６）上に局所的にシャーリングを施されてウェブとされた編織布地構造体（１１．１、…、１１．６）を備える少なくとも１つの温度制御領域（１０．１、…、１０．６）を有するスポーツウェアであって、
前記ウェブ（１４．１、…、１４．６）は、前記布地構造体（１１．１、…、１１．６）の内側で着用者の皮膚（２００）に接触するように設計され、
隣接するウェブ（１４、１、…、１４．６）の間に内側空気チャネル（１３．１、…、１３．６）が形成され、
少なくとも１つのチャネルが、前記シャーリングを施された布地構造体（１１．１、…、１１．６）上の前記ウェブ（１４．１、…、１４．６）の後面に形成されて、外側空気チャネル（１８．１、…１８．６）を形成し、
複数のウェブ（１４．１、…、１４．６）が、前記温度制御領域（１００．１、…、１００．６）において、互いを覆うように配置される、
スポーツウェアにおいて、
‐複数の隔離した温度制御要素（１２．１、…、１２、６）が、前記温度制御領域（１００．１、…、１００．６）に配置されるとともに、横方向分離領域（１６．１、…、１６．６）によって互いに離間した短いウェブ（１４．１、…、１４．６）を含み、
‐前記布地構造体（１１、１、…、１１．６）の内側で隣接する内側空気チャネル（１３．１、…、１３．６）は、前記分離領域（１６．１、…、１６．６）によって互いに連結され、
‐前記温度制御要素（１２．１、…、１２、６）の間の前記分離領域（１６、１、…、１６．６）は、互いに横方向にオフセットして配置され、これにより、前記温度制御要素（１２．１、…、１２、６）は、少なくとも部分的に鉛直方向身体軸（Ｘ）の長手方向延長線に対して重なる、
ことを特徴とするスポーツウェア。
【請求項２】
少なくとも１つの温度制御領域（１０．１、１０．２、１０．３、１０．４、１０．５、１０．６）における前記温度制御要素（１２．１、１２．２、１２．３、１２．４、１２．５、１２．６）は、少なくとも部分的に角度が付けられるとともに、１２０°乃至
１５０°の鋭角を有する、
ことを特徴とする請求項１に記載のスポーツウェア。
【請求項３】
前記温度制御要素（１２．１）の少なくとも一部は、少なくとも１つの温度制御領域（１０．１）において、傾倒したＹ字形状を有する、
ことを特徴とする請求項２に記載のスポーツウェア。
【請求項４】
前記温度制御要素（１２．２）の少なくとも一部は、少なくとも１つの温度制御領域（１０．２）において、直立したＹ字形状を有する、
ことを特徴とする請求項２に記載のスポーツウェア。
【請求項５】
前記温度制御要素（１２．１、１２．３、１２．６）の少なくとも一部は、少なくとも１つの温度制御領域（１０．１、１０．３、１０．６）において、傾倒した又は直立したＶ字形状を有する、
ことを特徴とする請求項２に記載のスポーツウェア。
【請求項６】
前記温度制御要素（１２．３、１２．４、１２．５）の少なくとも一部は、少なくとも１つの温度制御領域（１０．３、１０．４、１０、５）において、ロッド形状を有するとともに、前記身体軸（Ｘ）に対して横手方向に又は傾斜して延在する、
ことを特徴とする請求項１に記載のスポーツウェア。
【請求項７】
前記ウェブ（１４．１、…、１４．６）及び引張領域（１５．１、…、１５．６）は、別箇に作製された温度制御要素（１２．１、…、１２．６）の一部であり、前記温度制御要素（１２．１、…、１２．６）は、前記編織布地構造体（１１．１、…、１１．６）に連結される、
ことを特徴とする請求項１乃至６の一項に記載のスポーツウェア。
【請求項８】
前記編織布地構造体（１１．１、…、１１．６）は織布地であり、
前記ウェブ（１４．１、…、１４．６）は、シャーリングが施されたベース織布地からなり、
前記引張領域（１５．１、…、１５．６）は、前記ベース織布地に比較して少ないメッシュ数を有する、
ことを特徴とする請求項１乃至７の一項に記載のスポーツウェア。
【請求項９】
前記温度制御領域は、編物において直線的又は交互にオフセットした列に起因して、前記身体軸（Ｘ）に対して傾斜するとともにオフセットして延びる構造体を有する、
ことを特徴とする請求項８に記載のスポーツウェア。
【請求項１０】
前記温度制御要素は、前記身体軸（Ｘ）に対して傾斜するとともにオフセットして延びる構造体を有し、
直線的に一様の又は非一様のオフセット編物、及び／又は、個々のメッシュの交互に一様の又は非一様のオフセットが、前記編物に設けられる、
ことを特徴とする請求項８に記載のスポーツウェア。
【発明の詳細な説明】
【技術分野】
【０００１】
本発明は、請求項１のプリアンブルに記載の特徴を有する、少なくとも１つの温度制御領域を有するスポーツウェアに関する。
【背景技術】
【０００２】
このようなスポーツウェアは、ＥＢ  １  ４７６  ０３３  Ｂ１から公知である。それは、肉厚とされて皮膚に接触するウェブ状の部分領域であって、後面に外側空気チャネルを形成するウェブ状の部分領域と、皮膚に接触せず内側空気チャネルを形成する領域と、を備える。汗は、皮膚に接触するウェブに、スポーツウェアの内側において吸収され、そしてウェブにより排出されて、外側空気チャネルを介して蒸発し得る。蒸発により、局所的に冷却が生じる。空気が、内側空気チャネルにおいてウェブ間を流れることが可能であり、これにより、温度補償がもたらされる。流れ落ちる汗を捕捉し得るように、ウェブを、身体軸に対して本質的に横方向に整列させる。これらについて、ウェブにより温度制御領域が良好に汗を吸収し得ることが証明されているが、温度制御領域における空気の流れが、ウェブに対して平行にしか実現できないという欠点も有している。暖められた空気は、温度制御領域の内側で身体軸に沿って上昇することができない。
【発明の概要】
【０００３】
したがって、本発明の目的は、第一に、汗の吸収と汗の蒸発に関する良好な特徴を保持しつつ、空気の流れという観点から上述のタイプの少なくとも１つの温度制御領域を有するスポーツウェアを改良することである。
【０００４】
解決策として、本発明は、請求項１に記載の特徴を有するスポーツウェアを提案する。
【０００５】
本発明によれば、温度制御領域は、互いに対して平行に連続的に整列させたウェブ及び空気チャネルを備えず、代わりに複数の隔離した温度制御要素を備える。そのそれぞれは、公知態様において別途設計されるが、温度制御要素の全幅に亘って延在しない少なくとも１つのウェブを有するのみである。温度制御要素は、鉛直方向身体軸に対して横手方向に、横方向分離領域によって、互いに離間している。
【０００６】
本発明の意味内容において、分離領域とは、温度制御要素に横方向に隣り合う、又は２つの隣接する温度制御要素間のエリアである。従来技術により既に標準であるように、温度制御要素は、特に横手方向に延びる又は傾斜した内側空気チャネルによって、鉛直方向に互いに離間している。分離領域は、基本的には内側空気チャネルであるが、言語的な差異により、空気が上方に流れ、且つ汗が流れ落ちる結果としての方向に関して、本発明の特徴が明瞭なものとされる。
【０００７】
温度制御要素は、編織布地に包囲される。後者の間に内側チャネルが形成され、これを通って空気が流れる。温度制御要素は、皮膚上の汗の滴が上方から下方に、温度制御領域全体を通って流れることができないように配置される。これは、汗は下方に存在する汗収集エリア、つまり皮膚上のウェブに結果的に捕捉されるからである。この目的のために、鉛直方向身体軸に対して異なる高さに位置決めされた温度制御要素は、横方向に互いに対してオフセットしている。要素は種々の態様において配置され得るが、全ての態様は、汗の滴が流れ落ち続けないように、皮膚に接触するエリアと皮膚に接触しないエリアが交互に配置される、又は互いに対してオフセットして配置される、という点で共通している。同時に、オフセットした温度制御要素は、上昇する空気に対するわずかな妨害物となる。皮膚表面上の空気は、複数の方向に流れる。なぜならば、鉛直線における空気チャネルは、分散配置された分離領域に対する温度制御要素の配置によって開放し続けるからである。結果として、暖められた空気は、温度制御領域を通って上昇し得る。これに関連する煙突効果によって、より良く湿気が除去され、そのため皮膚が冷却される。
【０００８】
好適には、配置は一様のパターンに従うが、温度制御要素の形成と配置の際に、特に、一方で鉛直方向の空気の流れを可能とする分離領域を設けるとともに、他方で流れ落ちる汗が、順次レベルダウンする各列に捕捉され得るように横方向にオフセットした分離領域を配置する際に本発明の基本原理に従う限り、非一様であってもよい。したがって、温度制御要素を有する温度制御領域は、スポーツ活動中に特に顕著に発汗する身体の領域に最適に適合する。
【０００９】
オフセット配置は、特に、鉛直方向身体軸に関する。しかしながら、これは、選手が本発明によるスポーツウェアを着用している場合に、正確に鉛直方向でなければならないということを必ずしも意味せず、むしろ、空気流の方向、すなわち暖められた空気が選手の身体表面に沿って上昇し得る方向を明瞭にすることが意図されている。当然ながら、この空気流の方向は、選手の通常の動作パターンにおける重力方向に多少抗した向きを有し、正確に鉛直である空気流の方向のみならず傾斜した方向もあり得る。空気流が拡散するように、複数の流動ベーンが、スポーツウェアに、又は同一の温度制御領域の内部に形成され得る。本発明に関して、空気流の方向が、従来技術においてウェブにより形成される、流れ経路に存在する障害物によって遮断されないことだけが重要である。
【００１０】
汗の滴が流れ落ちる方向は、空気流の方向に対して反対に延在する。本発明によれば、この方向は、流れ落ちる汗を捕捉するように遮断される。横方向にオフセットして配置された温度制御要素により形成される障害物は、温度制御要素の各列に存在する必要がない。障害物のない列のシーケンスは、互いに対してオフセットされた少なくとも一対の列によって分離され、ここに汗が捕捉される。
【００１１】
温度制御領域は、編むことにより、また要素を布地又は他の織編地に接着接合することによっても生成され得る。
【００１２】
温度制御要素の形状及び配置は、様々な態様において選択され得るが、全ての実施形態は、汗の滴が妨げられずに流れ落ちることなく、汗の各滴を再度可及的速やかに捕捉するように、皮膚に接触するエリアと皮膚に接触しないエリアとが互いに交互に配置されるか、又は互いにオフセットして配置されるという点で共通している。
【００１３】
水平方向の投影において、温度制御要素は、例えば、Ｙ字状、Ｖ字状、Ｘ字状、ダブルＹ字状であり得る。なぜならば、このような形状は、滴を捕捉するのに直ちに好適であると同時に、横方向に通過して上昇する空気に対してわずかにしか妨害物とならないからである。衣類上の温度制御領域は、種々の追加の利点を奏するように、全ての個々の温度制御要素を含んだ、延長範囲全体において可変である。例えば、温度制御領域は、鉛直方向に伸長され得る。これにより、顕著な煙突効果を達成し、こうして空気を可能な限り下方から移送し、これをシャツの襟又はズボンのウエストバンドにおける上部へ移送し、そこから空気は排出される。
【００１４】
好適には、編織布地構造体は、温度制御領域を形成する編布地であり、この目的のために特別に設計されるか、又はスポーツウェアのベース布地に連結される。身体軸に対して起立するとともに以下の図面に示される構造体を形成するために、
‐直線列のオフセット
‐個々のメッシュの直線状一様オフセット
‐個々のメッシュの非一様オフセット
‐プリフォームを生じる、メッシュ領域の交互に配置された列オフセット
‐個々のメッシュの交互に配置された一様オフセット
‐個々のメッシュの交互に配置された非一様オフセット、
を編みつつ、以下の手段が講じられ得る。
【００１５】
本発明を、図面を参照しつつより詳細に説明する。
【図面の簡単な説明】
【００１６】
【図１】スポーツウェアの温度制御領域の概略切欠斜視図。
【図２】温度制御要素を有する温度制御領域の上面図。
【図３】温度制御要素を有する温度制御領域の別の構成の上面図。
【図４】温度制御要素を有する温度制御領域の別の構成の上面図。
【図５】温度制御要素を有する温度制御領域の別の構成の上面図。
【図６】編み込まれた温度制御領域の概略上面図。
【図７】図１による温度制御領域の斜視図。
【発明を実施するための形態】
【００１７】
図１は、織布地又は編布地であり得る編織布地構造体１１．１における温度制御領域１０．１を示す。例えば、温度制御領域１０．１はスポーツウェアに配置され、運動時に特に激しい発汗が生じる身体部分に形成される。
【００１８】
例示的な図示例において、温度制御領域１０．１は、一様に配置された個々の温度制御要素１２．１からなる。各温度制御要素１２．１それ自体は、少なくとも１つのエリアを有する。このエリアにおいて、織布地又は編布地は小さい弾力性を有している、及び／又はより短い引張領域１５．１によりシャーリングを施されている。これにより、温度制御要素１２．１は、着用者の皮膚２００に面することになる衣類の内側の断面において、Ｕ字又はＶ字形状を呈している。これにより、いわゆるウェブ１４．１が、編織布地構造体１１．１の内側に生成される。汗は、皮膚２００に接触するウェブ１４．１の先端エリアにおいて捕捉され、編織地に吸収される。内側空気チャネル１３．１が、皮膚２００に接触するウェブ１４．１の間に形成され、この内側空気チャネル１３．１を通って空気が皮膚表面を流れ得る。
【００１９】
捕捉された汗は、ウェブ１４．１の編織地吸湿性側壁を介して、温度制御領域１２．１の上面に向かって、温度制御領域１２．１の周囲領域１７．１に至るまで部分的に移送される。周囲領域１７．１は、ウェブ１４．１によって皮膚表面２００から特定の距離を置いて維持されている。ここで、汗は特に良好に蒸発し得る。蒸発による冷却によって、周囲領域１７．１の下方に位置する内側空気チャネル内の空気が冷却される。
【００２０】
チャネル形状構造体が、ウェブ１４．１の後面において起立し、外側空気チャネル１８．１を形成する。この外側チャネル１８．１を介して蒸発が生じる。
【００２１】
外側空気チャネル１８．１は、引張領域１５．１によって完全にはかかっていないため、捕捉された汗は、同様にこれらを介して、温度制御要素１２．１に熱が蓄積することなく蒸発し得る。
【００２２】
温度制御要素１２．１は、編織布地構造体１１．１に、２つの主方向、具体的には、直立した体勢の着用者に対して本質的に垂直に延びるとともに空気流方向に対応する身体軸Ｘと、この身体軸に対して垂直に又は鈍角を成して延びる横手方向と、が確立されるように配置される。横手方向において、個々の温度制御要素１２．１は、周囲領域１７．１によって互いに離間しており、これらの間に、内側空気チャネル１３．１が形成されている。隣接する温度制御要素１２．１のウェブ１４．１は、分離領域１６．１によって、横手方向におけるそれらの延長線上で更に離間している。
【００２３】
シャーリングを施された編織地のチャネルに形成された外側空気チャネル１８．１は、分離領域１６．１において中断されている一方、個々の内側空気チャネル１３．１を、温度制御領域１０．１の内側であって離間領域１６．１の下方で互いに接合する横手方向連結部が存在する。したがって、分離領域１６．１及び内側空気チャネル１３．１は、布地構造体１１．１の内側で着用者の身体側に面するように形成された空気チャネル・ネットワークの一部である。
【００２４】
このようにして得られる効果を、図２乃至６に示す、本発明により設計された温度制御領域１０．２、…、１０．６の異なる例示的な実施形態の上面図により以下に説明する。
【００２５】
図２は、本発明の別の実施形態による温度制御領域１０．２の切欠図である。これは、スポーツウェアの隣接領域が同じく形成される編織布地構造体１１．２上に直接形成され得る。温度制御領域１０．２を、別途製造し、スポーツウェアの残りの領域に連結することも可能である。
【００２６】
図２は、皮膚に面することとなる温度制御領域１０．２の内部を示す図である。温度制御領域１０．２を有する衣類が着用されたとき、濃色エリアが皮膚に接触するように設けられ、それらの間の薄色エリアは皮膚表面から距離を置き続ける。
【００２７】
個々のそれぞれＹ字形状の温度制御要素１２．２の数本の列が、温度制御領域１０．２に、Ｙ字形状の温度制御要素１２．２の脚のうちの１つが鉛直方向に、すなわち、身体軸Ｘに対して平行に整列するような態様で配置される。また、温度制御要素１２．２の列は、横手方向において、隣接する温度制御要素１２．２の列からシフトして配置されている。この結果、温度制御要素１２．２同士の間の分離ポイント１６．２が上方の列に存在するところには、必ず汗の滴用の収集エリア１９．２が存在し、これにより、内側空気チャネル１３．２が間に形成される。図２による実施形態において、収集エリア１９．２は、Ｙ次形状の温度制御要素１２．２の斜角をなす脚によって形成されている。上向きの矢印が付された細い点線は、いわゆる空気流方向、すなわち、皮膚に面する編織布地構造体１１．２の内側において皮膚上で温められた空気Ａがたどる経路を示す。皮膚に接触することにより、濃色領域として示す温度制御要素１２．２は障害物として機能し、空気流を方向転換させる。煙突効果が生じる結果、暖かい空気は妨害物を越えて上方に移動するにつれて排除される。
【００２８】
同時に、図２の左側で太い実線により示すように、汗が上方から下方に滴り落ちる。隣接する温度制御要素１２．２の間のエリアに直接生じた汗の滴は、下方に位置する温度制御要素１２．２に直接流れる。これは、図２の例示的な実施形態によれば、第１、第３及び第５列の温度制御要素に対して横手方向にオフセットして配置された第２及び第４列の温度制御要素１２．２によって達成される。流れる汗Ｓの捕捉と上昇する暖められた空気Ａの効果は、いずれの場所でも重なり合っている。ただし、汗Ｓと空気Ａの経路は、例示的描写のみを目的として別々のエリアにおいて示されている。
【００２９】
図３は、本発明により設計された温度制御領域１０．３の別の実施形態を示す。ここでも同様に、汗の経路は左側に太い下向きの矢印で表され、空気Ａの経路は、右側に細い点線矢印で示される。ここでも、身体軸は鉛直方向に延びる。ロッド形状の温度制御要素１２．３のそれぞれは、温度制御領域１０．３の左側及び右側エリアに配置される。同じく、空気Ａは、内側空気チャネル１３．３と、温度制御要素１２．３と１２．３’との間の分離領域を通って上昇し得る。本例において、温度制御領域１２．３は、Ｖ字形状を互いになして中央領域に配置されている。汗収集エリア１９．３が、下方を向く先端を有する温度制御領域１２．３の内部に形成される。側方のロッド形状の温度制御要素１２．３’に関して、汗収集領域１９．３’の形成をもたらすオフセットが、横方向にオフセットされた温度制御要素１２．３、１２、３’によって生じないようにしつつ、ロッド形状の温度制御要素１２．３’の傾き及び間隔が調整されて、温度制御要素１２．２’の各上端部により流れる汗の滴が隣接する温度制御要素１２．３’の下端部で捕捉されるような配置とされる。
【００３０】
原則として、図４の図示例は、汗Ｘと空気Ａの経路、そして温度制御領域１０．４の鉛直方向身体軸に対する位置決めに関して上記した図示例に対応する。
【００３１】
図４による実施形態によれば、個々のロッド形状の温度制御要素１２．４は、それらの長手方向延長線において互いに並ぶように整列されており、幅狭側において分離領域１６．４によって互いに離間している。温度制御要素１２．４の数本の列は、互いを覆うように配置されており、身体軸に対して横手方向に延びる内側空気チャネル１３．４を形成する列同士の間に周囲領域１７．４が存在している。横手方向における温度制御要素１２．４の列同士の間で、水平線の半分幅のオフセットが存在し、これにより、分離領域１６．４を通って流れ落ちる汗の滴が、収集エリア１９．４に捕捉される。収集エリア１９．４は、その下方の列に位置する横桁のように配置された各温度制御要素１２．４によって形成される。
【００３２】
図５は、温度制御領域１０．５の別の実施形態を示す。本例において、汗及び空気の経路は示されていない。なぜならば、それらは上述の実施形態と同様に延びるものであるからである。図５による温度制御領域１０．５の例示的な実施形態による図示例のように、温度制御要素１２．５は、一様な水平線（ラスター）を有さずに配置され得る。図５の各温度制御要素１２．５は、列毎に異なる長さを有し、温度制御要素１２．５同士の列間のオフセットは、温度制御要素１２．５の長さに結合された一様でない大きさを有する。内側空気チャネル１３．５を形成する分離領域の下方に、汗収集エリア１９．５が設けられることだけが必須事項である。
【００３３】
図６は、編布地として設計された編織布地構造体１１．６に配置された温度制御領域１０．６の別の上面図を示す。図６に示されたステップ状構造体は、個々のメッシュを示す機能を果たす。ウェブ１４．６及びそれらの後面に形成された外側空気チャネル１８．６は、例えば１０本のメッシュ列からなり、外側空気チャネル１８．６にかかっているスパンする引張領域１５．６は、３本のメッシュ列の幅しか有していない。外側空気チャネル１８．６の幅は、外側空気チャネル１８．６を形成する２５本までのメッシュ列を設けることにより同じ比率で拡大され得るが、これらのエリアにかかっている引張領域１５．６は約１０本のメッシュ列しか有さないため、シャーリング効果が得られる。外側空気チャネルの長手方向延長線から見て、引張領域１５．６は、２乃至７本のメッシュの長さを有し、５乃至１２本のメッシュによって互いに離間しており、これにより、外側空気チャネル１８．６について５乃至１２本のメッシュの幅を有し、かかり合わないチャンバを生成する。互い覆うように配置されるとともに外側空気チャネル１８．６を備える温度制御要素１２．６の各部は、４乃至４０本のメッシュ列の幅を有する内側空気チャネル１３．６によって互いに離間している。
【００３４】
図７は、編織布地構造体１１．１における単独の温度制御要素１２．１を、衣類の外部における斜視三次元構造において示す。明瞭に示されるように、本発明によるスポーツウェアには、図２乃至６の概略図にのみ図式的に示される、もりあがった鋭利な境界エッジが存在しない。引張領域１５．１と、その下方に延在する、いわゆる外側空気チャネル１８．１を形成するチャネル形状構造体とによる織布地又は編布地のシャーリングが明白である。
【符号の説明】
【００３５】
１０．１  …  １０．６    温度制御領域
１１．１  …  １１．６    布地構造体
１２．１  …  １２．６    温度制御要素
１３．１  …  １３．６    内側空気チャネル
１４．１  …  １４．６    ウェブ
１５．１  …  １５．６    引張領域
１６．１  …  １６．６    分離領域
１７．１  …  １７．６    周囲領域
１８．１  …  １８．６    外側空気チャネル
１９．１  …  １９．６    汗収集領域
２００    皮膚
Ｓ    汗
Ａ    空気
【図１】
2018538451.tif 000003
【図２】
2018538451.tif 000004
【図３】
2018538451.tif 000005
【図４】
2018538451.tif 000006
【図５】
2018538451.tif 000007
【図６】
2018538451.tif 000008
【図７】
2018538451.tif 000009
【国際調査報告】
2018538451.tif 000010
2018538451.tif 000011
2018538451.tif 000012
2018538451.tif 000013